(57)【要約】【課題】  車両の搭乗者の必要とする情報を、搭乗者の負担を増加することなく提供することができる車載装置を提供する。【解決手段】  地上波デジタル放送を受信するアンテナ１３及びＤＴＶチューナ部２と、受信した地上波デジタル放送から音声データを抽出する制御部２０と、音声データの音声を認識する音声認識部１０とを有している、制御部２０は、認識した音声に所定のキーワードが含まれるか否かを判定し、所定のキーワードが含まれる場合に、受信した地上波デジタル放送を記憶装置５に保存する。従って、必要な情報を搭乗者の負担を増加させることなく提供することができる。【選択図】        図１
2009017514.tif 000002
【特許請求の範囲】
【請求項１】
デジタル放送を受信する受信手段と、
受信したデジタル放送から音声データを抽出する抽出手段と、
前記音声データの音声を認識する認識手段と、
認識した音声に所定のキーワードが含まれるか否かを判定し、前記所定のキーワードが含まれる場合に、受信したデジタル放送を録画手段に録画させる制御手段と、
を有することを特徴とする情報取得装置。
【請求項２】
ＧＰＳ信号を受信して自車位置を特定し、設定された目的地までの誘導経路を、画面の表示によって案内するナビゲーション手段を有し、
前記制御手段は、自車位置から所定範囲内の地名と、前記目的地から所定範囲内の地名と、前記目的地までの誘導経路に含まれる地名との少なくとも１つを前記所定のキーワードとして、該キーワードが前記音声に含まれるか否かを判定することを特徴とする請求項１記載の情報取得装置。
【請求項３】
キーワードと、該キーワードごとに設定された緊急度とを記録した記録手段を有し、
前記制御手段は、緊急度を高く設定されたキーワードを検出すると、前記録画手段に、受信したデジタル放送の録画を開始させることを特徴とする請求項１又は２記載の情報取得装置。
【請求項４】
画像を表示する表示手段を有し、
前記制御手段は、緊急度を高く設定されたキーワードを検出した場合に、前記表示手段の表示画面に録画を実行中である旨を表示させることを特徴とする請求項３記載の情報取得装置。
【請求項５】
音声を出力する音声出力手段を有し、
前記制御手段は、前記録画手段による録画が開始されると、前記音声出力手段により録画の開始を通知することを特徴とする請求項１から４のいずれか一項記載の情報取得装置。
【発明の詳細な説明】
【技術分野】
【０００１】
本発明は、ユーザにとって有効な情報を取得して提供することのできる情報取得装置に関する。
【背景技術】
【０００２】
地震や災害が発生したときには、通常画面を表示しながら画面端に災害情報を表示している。しかしながら、車両での移動中は、このような情報に注意していない場合や、注意できない場合があり、重要な情報を聞き逃す虞れがある。さらに緊急放送のない事故等では、情報の入手が困難となる場合がある。
【０００３】
特許文献１では、緊急放送開始信号が検出されると、緊急放送に含まれる緊急警報情報を、メッセージ画面に表示する映像情報に割り込ませるようにしている。
【０００４】
【特許文献１】特開２００５−２９４９６０号公報
【発明の開示】
【発明が解決しようとする課題】
【０００５】
しかしながら、特許文献１の開示技術は、緊急放送に限られ、緊急放送のない事故や災害の情報を入手することができない。
【０００６】
本発明は上記事情に鑑みてなされたものであり、ユーザの必要とする情報をユーザの負担を増加することなく取得することができる情報取得装置を提供することを目的とする。
【課題を解決するための手段】
【０００７】
かかる目的を達成するために本発明の情報取得装置は、デジタル放送を受信する受信手段と、受信したデジタル放送から音声データを抽出する抽出手段と、前記音声データの音声を認識する認識手段と、認識した音声に所定のキーワードが含まれるか否かを判定し、前記所定のキーワードが含まれる場合に、受信したデジタル放送を録画手段に録画させる制御手段とを有する構成とする。
本発明によれば、キーワードを設定しておくことで、ユーザの必要とする情報を記録することができる。従って、ユーザの必要な必要な情報をユーザの負担を増加することなく取得することができる。
【０００８】
上記構成の情報取得装置において、ＧＰＳ信号を受信して自車位置を特定し、設定された目的地までの誘導経路を、画面の表示によって案内するナビゲーション手段を有し、前記制御手段は、自車位置から所定範囲内の地名と、前記目的地から所定範囲内の地名と、前記目的地までの誘導経路に含まれる地名との少なくとも１つを前記所定のキーワードとして、該キーワードが前記音声に含まれるか否かを判定するとよい。
従って、車両の現在位置、途中経路、目的地から所定距離内にある地名を含んだ情報を記録することができ、搭乗者に関連性の高い情報を抽出して提供することができる。
【０００９】
上記構成の情報取得装置において、キーワードと、該キーワードごとに設定された緊急度とを記録した記録手段を有し、前記制御手段は、緊急度を高く設定されたキーワードを検出すると、前記録画手段に、受信したデジタル放送の録画を開始させるとよい。
従って、緊急度の高いキーワードが含まれたデジタル放送を録画することができる。
【００１０】
上記構成の情報取得装置において、画像を表示する表示手段を有し、前記制御手段は、緊急度を高く設定されたキーワードを検出した場合に、前記表示手段の表示画面に録画を実行中である旨を表示させるとよい。
従って、緊急度を高く設定されたキーワードを含むデジタル放送を録画中であることを表示することができる。
【００１１】
上記構成の情報取得装置において、音声を出力する音声出力手段を有し、
前記制御手段は、前記録画手段による録画が開始されると、前記音声出力手段により録画の開始を通知するとよい。
従って、録画の開始を音声で通知することができる。
【発明の効果】
【００１２】
本発明によれば、ユーザの必要とする情報をユーザの負担を増加することなく取得することができる
【発明を実施するための最良の形態】
【００１３】
添付図面を参照しながら本発明の最良の実施例を説明する。
【実施例１】
【００１４】
まず、図１を参照しながら本実施例の構成を説明する。図１には、本発明の情報取得装置を車載装置１に適用した実施例の構成を示す。図１に示すように本実施例の車載装置１は、ＤＴＶチューナ部２と、ＧＰＳ情報受信部３と、車両情報入力部４と、記憶装置５と、メモリ６と、地図情報データベース７と、マイク８と、スピーカ９と、音声認識部１０と、表示部１１と、操作入力部１２と、制御部２０とを有している。
【００１５】
アンテナ１３で受信した地上波デジタル放送の信号は、ＤＴＶチューナ部２に供給される。ＤＴＶチューナ部２は、アンテナ１３で受信した地上波デジタル放送の信号からチャネルの選局を行い、選局したチャネルの信号を制御部２０に出力する。
【００１６】
ＧＰＳ情報受信部３は、衛星からのＧＰＳ信号を受信する。受信したＧＰＳ信号は制御部２０に出力され、制御部２０でＧＰＳ信号に基づいて自車位置が割り出される。
【００１７】
車両情報入力部４は、車両に搭載された各種センサによって測定された情報を入力し、入力した情報を制御部２０に出力する。例えば、車速センサからの車速情報、サイドブレーキの操作量を表すサイドブレーキ情報などが入力される。サイドブレーキ情報によって、車両が停車中であるか否かが判定される。
【００１８】
記憶装置５には、ハードディスク装置などの容量の比較的大きな記憶装置が用いられる。記憶装置５には、受信した地上波デジタル放送の画像信号が記録される。
メモリ６は、例えば読み出しと書き込みとが可能なＲＡＭであり、制御部２０が各種制御のために読み出した情報を一時的に記憶する。
【００１９】
地図情報データベース７には、ナビゲーションのために利用される地図情報が記録されている。
制御部２０は、ＧＰＳ情報受信部３からのＧＰＳ信号によって現在位置情報を割り出し、地図情報データベースから地図情報を取得してナビゲーション動作のための画像を作成する。作成した地図などの画像は、表示部１１で表示させることができる。また、制御部２０は、ＤＴＶチューナ部２で選局された信号から音声データを取り出して、音声データのデコードを行う。デコードした音声信号は音声認識部１０に出力して、音声の認識を行う。制御部２０は、音声認識部１０の認識結果を取得して、音声に、所定のキーワードが含まれているか否かを判定する。制御部２０は、音声認識部１０で認識した音声にキーワードが含まれている場合には、受信した情報の記憶装置５への記録を開始させる。
【００２０】
マイク８は、搭乗者の音声を入力し、スピーカ９は、目的地までの案内を音声で出力する。
【００２１】
音声認識部１０は、信号処理回路であり、マイク８から入力した音声指示や、ＤＴＶチューナ部２で取得した音声データの音声認識を行う。認識結果は制御部２０に出力される。制御部２０は、音声認識部１０の認識結果に従って、図１に示す各機能部を制御する。
【００２２】
表示部１１は、液晶パネルとバックライトとを備え、制御部２０で生成された地図情報や目的地までの誘導経路情報を表示する。
【００２３】
操作入力部１２は、タッチパネルを含む。タッチパネルは、例えば、表示部１１の表示画面の上に配置されるものであり、指や専用のペンによりタッチパネルが接触されると、その接触位置が検知されて、入力操作の有無が判別できるようになっている。
【００２４】
上記構成を具備した車載装置１は、受信した地上波デジタル放送の信号から音声データを取り出して認識し、認識した音声に、予め設定された所定のキーワードが含まれているか否かを判定する。制御部２０は、所定のキーワードが含まれていると判定すると、受信した地上波デジタル放送の信号を記憶装置５に出力してこれを記録する。
【００２５】
検出するキーワードには、自車位置から所定範囲内の地名、設定された目的地から所定範囲内の地名、目的地までの誘導経路に含まれる地名等を使用することができる。これらの地名をキーワードとすることで、車両の搭乗者に関係性の高い情報（放送）を抽出して記録することができる。
【００２６】
また、事故や通行止めなどの交通情報や、地震、台風、津波などの災害情報をキーワードとして登録しておくこともできる。交通情報や災害情報をキーワードとすることで、発生した交通情報や災害に関する情報を簡単に記録することができる。
また、これらの交通情報や災害情報と、車両の現在位置、目的地や途中経路に関係する地名とを両方検出した場合に、地上波デジタル放送を記憶装置５に記録するようにしてもよい。これにより、車両の搭乗者に関連性の高い交通情報や災害情報を抽出して記録することができる。
【００２７】
図２に示すフローチャートを参照しながら制御部２０の処理手順を説明する。
まず、制御部２０は、記憶装置５の録画条件の設定を操作入力部１２より入力し、入力した録画条件をメモリ６に記録する。記憶装置５への録画を開始させるためのキーワードや、録画を開始したときのユーザへの通知方法などをここで設定する。
【００２８】
次に、地上波デジタル放送の受信を開始すると、受信した地上波デジタル放送の信号のチャネル選局をＤＴＶチューナ部２で行い、選局したチャネルの信号を制御部２０に出力する。
【００２９】
制御部２０は、ＤＴＶチューナ部２で選局された信号から音声データを取り出して、音声データのデコードを行う（ステップＳ３）。制御部２０は、デコードした音声信号を音声認識部１０に出力し、音声認識部１０で音声の認識を行う（ステップＳ４）。
【００３０】
制御部２０は、音声認識部１０で認識した音声に、記憶装置５への記録を開始させるキーワードが含まれているか否かを判定する。キーワードには、例えば、事故、通行止めなどの交通情報、地震、警報、台風などの災害情報、自車位置から所定範囲内の地名、設定された目的地から所定範囲内の地名、目的地までの誘導経路に含まれる地名、搭乗者によって設定された任意のキーワードなどが含まれる。
制御部２０は、音声認識部１０で認識した音声に、記憶装置５への記録を開始させるキーワードが含まれいない場合には（ステップＳ５／ＮＯ）、次の音声データの処理に移行する。また、音声認識部１０で認識した音声に、キーワードが含まれている場合には（ステップＳ５／ＹＥＳ）、記憶装置５への記録を開始する（ステップＳ６）。また、制御部２０は、記憶装置５への録画を開始したことを表示部１１に表示させる（ステップＳ７）。
【００３１】
次に、図３に示すフローチャートを参照しながらＳ５の詳細について説明する。
制御部２０は、ＧＰＳ信号を受信して自車両の現在位置を割り出す。また、割り出した自車位置情報と、設定された目的地情報とに基づいて、キーワードを設定する。まず、現在位置から所定範囲内にある地名がキーワードに設定される。また、目的地までの誘導経路上の地名もキーワードに設定される。さらに、目的地から所定範囲内の地名もキーワードに設定される。
キーワードを設定すると、制御部２０は、音声認識部１０で認識した音声に、設定されたキーワードが含まれているか否かを判定する。
制御部２０は、音声認識部１０で認識した音声に、自車位置から所定範囲内の地名が含まれている場合には（ステップＳ１１／ＹＥＳ）、記憶装置５への録画を開始させる（ステップＳ１６）。
【００３２】
また、制御部２０は、音声認識部１０で認識した音声に、目的地から所定範囲内の地名が含まれている場合には（ステップＳ１２／ＹＥＳ）、記憶装置５への録画を開始させる（ステップＳ１６）。
また、制御部２０は、音声認識部１０で認識した音声に、目的地までの誘導経路上の地名が含まれている場合には（ステップＳ１３／ＹＥＳ）、記憶装置５への録画を開始させる（ステップＳ１６）。
【００３３】
また、制御部２０は、音声認識部１０で認識した音声に、デフォルトで設定されたキーワードや、操作者が操作入力部１２から入力したキーワードが含まれていた場合に（ステップＳ１４／ＹＥＳ又はＳ１５／ＹＥＳ）、記憶装置５への録画を開始させる（ステップＳ１６）。
【００３４】
このように本実施例は、キーワードを設定しておくことで、車両の搭乗者の必要とする情報を記録することができる。従って、必要な情報を搭乗者の負担を増加させることなく提供することができる。
【実施例２】
【００３５】
本実施例は、キーワードごとに緊急度を設定し、設定した緊急度に応じて搭乗者への通知方法を変更する。また、情報を録画すると、記憶装置５に記録した録画データのうち、緊急度が低く、録画してから日数が経過している情報を記憶装置５から削除する。
【００３６】
車載装置１のメモリ６には、図４に示す管理テーブルが用意されている。制御部２０は、音声認識部１０で認識した音声から、管理テーブルに登録されたキーワードを検出すると、検出したキーワードの緊急度を判定して記憶装置５への記録を開始する。また、判定したキーワードの緊急度に応じて、搭乗者への通知方法を変更する。
例えば、緊急度が［高］に設定されたキーワードを検出した場合、制御部２０は、表示部１１に表示する画像に赤色の淵を重ねて、録画を開始したこと強調表示する。
また、緊急度が［中］に設定されたキーワードを検出した場合、制御部２０は、表示部１１に表示する画像に黄色の淵を重ねて、録画の開始を表示する。
また、緊急度が［低］に設定されたキーワードを検出した場合、制御部２０は、表示部１１の表示画面に録画の開始を示す文字を表示させる。
【００３７】
次に、図５に示すフローチャートを参照しながら、本実施例の制御部２０の処理手順を説明する。
制御部２０は、音声認識部１０で認識した音声からキーワードを検出すると（ステップＳ２１／ＹＥＳ）、図４に示す管理テーブルを参照して検出したキーワードの緊急度を判定する。キーワードの緊急度が「高」に設定されていた場合には（ステップＳ２２／ＹＥＳ）、制御部２０は、表示部１１に表示する画像に赤色の淵を重ねて、録画を開始したこと強調表示する（ステップＳ２３）。また、制御部２０は、録画の開始を通知する音声をスピーカ９から出力する。このときスピーカ９の出力音量は、緊急性が高いことを示すため大音量に設定されている。また、制御部２０は、録画の開始を通知する音声をスピーカ９から出力する。このときスピーカ９の出力音声は、通常の音声（例えば、ナビゲーションの音声案内と同レベルの音声）に設定される。
【００３８】
また、制御部２０は、検出したキーワードの緊急度が「高」や「中」に設定されていない場合には（ステップＳ２２／ＮＯ、かつＳ２５／ＮＯ）、キーワードの緊急度が「低」であると判定し、録画の開始を表示部１１に文字表示する（ステップＳ２８）。
【００３９】
記憶装置５への情報の記録が終了すると、制御部２０は、記憶装置５に記録してから所定の日数を経過している情報のうち、緊急度が低いものを選択して削除する（ステップＳ２９）。日数の経過したもの、緊急度の低いものから削除することで、記憶装置５の記憶容量を確保することができる。
【００４０】
なお、録画が終了後に、古い情報を削除するようにしているが、制御部２０が、一定時間ごとに記憶装置の記憶量を判定して、記憶量が所定値を超えていた場合に古い情報から削除するようにしてもよい。
【００４１】
上述した実施例は本発明の好適な実施例である。但し、これに限定されるものではなく、本発明の要旨を逸脱しない範囲内において種々変形実施可能である。
例えば、複数チャネルの情報を同時に受信可能であるときに、キーワードが含まれる地上波デジタル放送のチャネルを複数同時に受信した場合には、緊急度が高く設定された方のチャネルの情報を優先して記憶装置５に保存するとよい。
また、上述した実施例では、地上波デジタル放送からキーワードを検出する例を説明したが、デジタルラジオの放送信号からキーワードを検出して記憶装置５に記憶するものであってもよい。
【図面の簡単な説明】
【００４２】
【図１】車載装置の構成を示すブロック図である。
【図２】記憶装置に地上波デジタル放送を記録するまでの手順を示すフローチャートである。
【図３】キーワードを検出して記憶装置に記録するまでの手順を示すフローチャートである。
【図４】メモリに登録された管理テーブルの構成を示す図である。
【図５】キーワードごとに緊急度を設定し、設定した緊急度に応じて搭乗者への通知方法を変更する手順を示すフローチャートである。
【符号の説明】
【００４３】
１  車載装置
２  ＤＴＶチューナ部（受信手段）
３  ＧＰＳ情報受信部（ナビゲーション手段）
４  車両情報入力部
５  記憶装置
６  メモリ（記録手段）
７  地図情報データベース
８  マイク
９  スピーカ
１０  音声認識部（認識手段）
１１  表示部
１２  操作入力部
２０  制御部（制御手段、抽出手段、ナビゲーション手段）
【図１】
2009017514.tif 000003
【図２】
2009017514.tif 000004
【図３】
2009017514.tif 000005
【図４】
2009017514.tif 000006
【図５】
2009017514.tif 000007